(57)【要約】【課題】一つの携帯機を複数の施解錠装置に対応させることができる建物用ドアの施解錠装置及び施解錠システムを提供すること。【解決手段】互いに通信可能に構成された携帯機１１及び施解錠装置１２からなり、施解錠装置１２にて建物のドアを施錠または解錠する建物用ドアの施解錠システム３において、施解錠装置１２はドア側第１コードを記憶し、このドア側第１コードから算出したドア側第２コードを含むリクエスト信号を携帯機１１に送信し、携帯機１１は携帯機側第１コード及び携帯機側第２コードを記憶し、受信したリクエスト信号に含まれるドア側第２コードと携帯機側第２コードとが一致する場合に携帯機側第１コードを含むＩＤ信号を送信し、施解錠装置１２は、携帯機１１から受信した携帯機側第１コードとドア側第１コードとが一致する場合にドアを施錠または解錠する。【選択図】      図５
2005146543.tif 000002
【特許請求の範囲】
【請求項１】
互いに通信可能に構成された携帯機及び施解錠装置からなり、前記施解錠装置にて建物のドアを施錠または解錠する建物用ドアの施解錠システムにおいて、
前記施解錠装置はドア側第１コードを記憶し、該ドア側第１コードから算出したドア側第２コードを前記携帯機に送信し、
前記携帯機は携帯機側第１コード及び携帯機側第２コードを記憶し、前記施解錠装置から受信した前記ドア側第２コードが前記携帯機側第２コードと一致する場合に前記携帯機側第１コードを送信し、
前記施解錠装置は、前記携帯機から受信した前記携帯機側第１コードが前記ドア側第１コードと一致する場合に前記ドアを施錠または解錠する、
ことを特徴とする建物用ドアの施解錠システム。
【請求項２】
携帯機側第１コード及び携帯機側第２コードを記憶し、受信したコードが前記携帯機側第２コードと一致する場合に前記携帯機側第１コードを送信する携帯機と通信可能に構成され、建物のドアを施錠または解錠する建物用ドアの施解錠装置において、
ドア側第１コードを記録する記録手段と、
前記ドア側第１コードから算出したドア側第２コードを携帯機に送信する送信手段と、
前記携帯機から受信した携帯機側第１コードが前記ドア側第１コードと一致する場合に前記ドアを施錠または解錠する制御手段と、
を備えたことを特徴とする建物用ドアの施解錠装置。
【請求項３】
前記制御手段は、登録モードにおいて、前記ドア側第１コードから前記ドア側第２コードを算出するとともに、該ドア側第２コードを前記記録手段に記録することを特徴とする請求項２に記載の建物用ドアの施解錠装置。
【請求項４】
前記ドア側第２コードは、第１コードと第２コードとから構成され、
前記制御手段は、前記ドア側第１コードに基づいて第１の演算により第１コードを算出し、前記第１の演算と異なる第２の演算により前記ドア側第１コードに基づいて第２コードを算出することを特徴とする請求項２または請求項３に記載の建物用ドアの施解錠装置。
【発明の詳細な説明】
【技術分野】
【０００１】
本発明は建物用ドアの施解錠装置及び施解錠システムに係り、詳しくはドアを電子制御によって施解錠する施解錠装置及びそのシステムに関するものである。
【背景技術】
【０００２】
従来、利便性の向上を目的に、ＩＤコードを用いた電子制御による建物用ドア錠の遠隔操作装置が提案されている（例えば特許文献１〜４参照）。特許文献１に記載の遠隔操作装置は、図９（ａ）に示すように、ユーザが所持する携帯機１０２から送信されるコードＢ１とドアに配設された通信制御装置１００が有するコードＢ１とが一致した場合にドアが解錠される。このため、携帯機１０２を所持してドアに近づくだけでドアを解錠することができ、ドアを解錠するための操作が不要となって利便性が向上する。
【０００３】
携帯機１０２の登録は、図９（ａ）に示すように、登録モードにおいて、携帯機１０２が有するコードＢ１を通信制御装置１００に登録し、通信制御装置１００が有するコードＡ１を携帯機１０２のメモリ１０２ａに登録する。通信制御装置１００は、通常モードにおいて、コードＡ１を含むリクエスト信号を送信する。コードＡ１が予め登録された携帯機１０２は、このリクエスト信号に応答してコードＢ１を送信する。
【０００４】
このように、通信制御装置１００がコードＡ１を含むリクエスト信号を送信することで応答する携帯機を特定する。これにより、通信制御装置１００に関連のない携帯機からの応答をなくして、コードＡ１を登録した携帯機１０２の特定を容易にできる。
【０００５】
図９（ｂ）に示すように、携帯機１０２で通信制御装置１０１が配設されたドアを解錠するには、携帯機１０２が有するコードＢ１を通信制御装置１０１に登録し、通信制御装置１０１が有するコードＡ２を携帯機１０２のメモリ１０２ａに登録する。このとき携帯機１０２は、メモリ１０２ａの内容をコードＡ１からコードＡ２に更新する。このため、携帯機１０２は通信制御装置１０１から送信されるリクエスト信号に応答可能となり、ユーザは携帯機１０２によって通信制御装置１０１が配設されたドアを解錠することができるようになる。
【特許文献１】特開２００１−２４１２２８号公報
【特許文献２】特開２００１−４３４３１号公報
【特許文献３】特開２０００−１１１２３号公報
【特許文献４】特開平８−１１４０４９号公報
【発明の開示】
【発明が解決しようとする課題】
【０００６】
つまり、携帯機１０２は、例えば２つ目のドアを解錠するために通信制御装置１０１のコードＡ２をメモリ１０２ａに登録すると、メモリ１０２ａの内容をコードＡ１からコードＡ２に更新する。このため、携帯機１０２を所持して解錠できるドアは、通信制御装置１０１が配設されたドアのみとなってしまう。このように、前記建物用ドア錠の遠隔操作装置では、一つの携帯機で複数のドアの解錠を行うことができないという問題があった。
【０００７】
本発明は、こうした実情に鑑みてなされたものであって、その目的は、一つの携帯機を複数の施解錠装置に対応させることができる建物用ドアの施解錠装置及び施解錠システムを提供することにある。
【課題を解決するための手段】
【０００８】
上記課題を解決するために請求項１に記載の発明では、互いに通信可能に構成された携帯機及び施解錠装置からなり、前記施解錠装置にて建物のドアを施錠または解錠する建物用ドアの施解錠システムにおいて、前記施解錠装置はドア側第１コードを記憶し、該ドア側第１コードから算出したドア側第２コードを前記携帯機に送信し、前記携帯機は携帯機側第１コード及び携帯機側第２コードを記憶し、前記施解錠装置から受信した前記ドア側第２コードが前記携帯機側第２コードと一致する場合に前記携帯機側第１コードを送信し、前記施解錠装置は、前記携帯機から受信した前記携帯機側第１コードが前記ドア側第１コードと一致する場合に前記ドアを施錠または解錠する、ことを要旨とする。
【０００９】
請求項２に記載の発明では、携帯機側第１コード及び携帯機側第２コードを記憶し、受信したコードが前記携帯機側第２コードと一致する場合に前記携帯機側第１コードを送信する携帯機と通信可能に構成され、建物のドアを施錠または解錠する建物用ドアの施解錠装置において、ドア側第１コードを記録する記録手段と、前記ドア側第１コードから算出したドア側第２コードを携帯機に送信する送信手段と、前記携帯機から受信した携帯機側第１コードが前記ドア側第１コードと一致する場合に前記ドアを施錠または解錠する制御手段と、を備えたことを要旨とする。
【００１０】
請求項３に記載の発明では、前記制御手段は、登録モードにおいて、前記ドア側第１コードから前記ドア側第２コードを算出するとともに、該ドア側第２コードを前記記録手段に記録することを要旨とする。
【００１１】
請求項４に記載の発明では、前記ドア側第２コードは、第１コードと第２コードとから構成され、前記制御手段は、前記ドア側第１コードに基づいて第１の演算により第１コードを算出し、前記第１の演算と異なる第２の演算により前記ドア側第１コードに基づいて第２コードを算出することを要旨とする。
【００１２】
以下、本発明の作用について説明する。
請求項１及び請求項２に記載の発明によれば、施解錠装置は、ドア側第１コードからドア側第２コードを算出し、このドア側第２コードを携帯機に送信する。携帯機は、受信したドア側第２コードが自ら有する携帯機側第２コードと一致した場合に携帯機側第１コードを送信する。そして、施解錠装置は、携帯機から受信した携帯機側第１コードとドア側第１コードが一致する場合にドアを施錠または解錠する。このため、例えば、複数の施解錠装置に１つの携帯機を登録して１つの携帯機で複数のドアを施錠または解錠させる場合、ドア側第１コードが同一となるため同一のドア側第２コードが算出される。携帯機は、送信されたこれらドア側第２コードの全てに応答する。従って、一つの携帯機を複数の施解錠装置に対応させることができる。
【００１３】
請求項３に記載の発明によれば、ドア側第２コードは記録手段に記録される。このため、制御手段は、ドア側第２コードを送信する度に、ドア側第１コードからドア側第２コードを算出する必要がない。従って、制御手段の処理上の負担を少なくすることができる。
【００１４】
請求項４に記載の発明によれば、ドア側第２コードは、ドア側第１コードに基づいて第１の算出される第１コードと、第１の演算と異なる第２の演算によりドア側第１コードに基づいて算出される第２コードとから構成される。このため、ドア側第１コードから算出するコードが重複する確率を低下させることができる。従って、複数の携帯機が登録された施解錠装置から異なる携帯機に対して同一のリクエスト信号が送信される確率を低下させ、応答する携帯機を確実に一つに特定することができる。
【発明の効果】
【００１５】
本発明によれば、一つの携帯機を複数の施解錠装置に対応させることができる建物用ドアの施解錠装置及び施解錠システムを提供することができる。
【発明を実施するための最良の形態】
【００１６】
以下、本発明を住宅のドアにおける施解錠システムに具体化した一実施形態を図１〜図８に従って説明する。
図１に示すように、住宅１にはドア２（本実施形態では玄関のドア）を施解錠する施解錠システム３及びドア４（本実施形態では勝手口のドア）を施解錠する施解錠システム５が設けられている。施解錠システム３は、携帯機１１を所持したユーザがドア２に接近したときにドア２の解錠を行う。一方、施解錠システム５は、携帯機１１を所持したユーザがドア４に接近したときにドア４の解錠を行うようになっている。つまり、一つの携帯機１１で、ドア２，４の２つのドアを解錠することができるようになっている。なお、以下施解錠システム３について詳細に説明し、施解錠システム５については、施解錠システム３と相違する点についてのみ説明する。
【００１７】
図２に示すように、施解錠システム３は、住宅１のユーザ（家人）に所有される携帯機１１と、住宅１に配設された施解錠装置１２とから構成されている。図３に示すように、ドア２には、屋内側と屋外側とにそれぞれドアハンドル２ａ，２ｂが設けられている。
【００１８】
図５に示すように、携帯機１１は、携帯機側受信回路１３、携帯機側マイクロコンピュータ（携帯機側マイコン）１４、及び携帯機側送信回路１５を備えている。携帯機側マイコン１４には、施錠操作スイッチ（施錠操作ＳＷ）１６及び解錠操作スイッチ（解錠操作ＳＷ）１７が接続されている。また、携帯機側受信回路１３には受信アンテナ１８ａが接続され、携帯機側送信回路１５には送信アンテナ１８ｂが接続されている。
【００１９】
携帯機側受信回路１３は、施解錠装置１２から送信されるリクエスト信号を受信アンテナ１８ａを介して受信して、その信号を携帯機側マイコン１４に出力する。
携帯機側マイコン１４は、メモリ１４ａを備えている。メモリ１４ａには、携帯機１１に固有のコードであるコードＢ１（携帯機側第１コード）、コードＣ１（携帯機側第２コード）、及びコードＣ２（携帯機側第２コード）が記録されている。なお、携帯機側マイコン１４は、登録モードにおいて、コードＣ１やコードＣ２をメモリ１４ａに記録する。
【００２０】
携帯機側マイコン１４は、携帯機側受信回路１３からリクエスト信号が入力された場合、リクエスト信号に含まれるコードと自ら有するコードＣ１とにより照合を行う。照合が一致した場合、携帯機側マイコン１４は、コードＢ１を含むＩＤ信号を携帯機側送信回路１５に出力する。なお、本実施形態では、リクエスト信号とコードＣ１やコードＣ２との区別を、これら信号に付加された情報（例えば、上位数ビットをリクエスト信号とコードＣ１やコードＣ２とで相違させる）により判断している。
【００２１】
施錠操作ＳＷ１６及び解錠操作ＳＷ１７は、携帯機１１の表面に設けられたプッシュスイッチからなり、押圧操作されるとその操作信号が携帯機側マイコン１４に入力される。携帯機側マイコン１４は、施錠操作ＳＷ１６が操作された場合にはコードＢ１と施錠操作コードとを含む施錠操作信号を出力し、解錠操作ＳＷ１７が操作された場合にはコードＢ１と解錠操作コードとを含む解錠操作信号を出力する。
【００２２】
携帯機側送信回路１５は、携帯機側マイコン１４から入力されたＩＤ信号、施錠操作信号及び解錠操作信号を送信アンテナ１８ｂを介して送信する。
図３に示すように、施解錠装置１２は、屋内アンテナ部１９、屋外アンテナ部２０、２つのドア錠駆動部２１，２２を備えている。
【００２３】
屋内アンテナ部１９は、図４に示すように、屋内側アンテナユニット２３を備えている。屋内側アンテナユニット２３は、内側アンテナスイッチ（内側アンテナＳＷ）２４及び登録モード切替スイッチ（登録モード切替ＳＷ）２５を備えている。本実施形態において、内側アンテナＳＷ２４はプッシュスイッチであり、登録モード切替ＳＷ２５は２接点のスライドスイッチである。いずれのスイッチも屋内側アンテナユニット２３において屋内側面に設けられている。屋内側アンテナユニット２３は、一面が開口した略直方体形状のカバー２６によって覆われている。カバー２６には、内側アンテナＳＷ２４と対応する位置に内側アンテナＳＷ２４の形状よりも幾分大きめの貫通穴が形成されており、カバー２６をドア２に装着すると、内側アンテナＳＷ２４は貫通穴を通して屋内に露出する。このため、内側アンテナＳＷ２４は、カバー２６をドア２に装着させた状態で押圧操作が可能である。一方、登録モード切替ＳＷ２５はカバー２６によって被覆される。また、屋内側アンテナユニット２３には、図５に示す屋内側送信アンテナ２３ａと屋内側受信アンテナ２３ｂとが設けられている。
【００２４】
図３に示すように、屋外アンテナ部２０は、屋外側アンテナユニット２７を備えている。屋外側アンテナユニット２７は、外側アンテナスイッチ（外側アンテナＳＷ）２８及び図示しない２接点のモード切替スイッチを備えている。本実施形態において、外側アンテナＳＷ２８はプッシュスイッチであり、屋外側アンテナユニット２７において屋外側面に設けられている。また、屋外側アンテナユニット２７には、図５に示す屋外側送信アンテナ２７ａと屋外側受信アンテナ２７ｂとが設けられている。
【００２５】
図５に示すように、施解錠装置１２は、通信部２９、及び制御手段としてのドア側マイクロコンピュータ（ドア側マイコン）３０を備えている。通信部２９は、送信手段としてのドア側送信回路３１及びドア側受信回路３２を備えている。
【００２６】
ドア側送信回路３１には送信アンテナ２３ａ，２７ａが接続され、ドア側受信回路３２には受信アンテナ２３ｂ，２７ｂが接続されている。ドア側送信回路３１は、ドア側マイコン３０から入力されるリクエスト信号を送信アンテナ２３ａ，２７ａを介して送信する。このリクエスト信号は、図３に示すように、屋内外におけるドア２の周辺における所定の領域Ａ内に送信される。このため、領域Ａ内において携帯機１１と施解錠装置１２との相互通信が可能となる。
【００２７】
また、ドア側送信回路３１は、各送信アンテナ２３ａ，２７ａから個別のタイミングでリクエスト信号を出力させる。つまり、一方の送信アンテナ２３ａ（２７ａ）からリクエスト信号が出力されているときには、他方の送信アンテナ２７ａ（２３ａ）からはリクエスト信号が出力されないようになっている。
【００２８】
ドア側受信回路３２は、携帯機１１から送信されたＩＤ信号、施錠操作信号、及び解錠操作信号を屋内側受信アンテナ２３ｂまたは屋外側受信アンテナ２７ｂを介して受信する。そして、ドア側受信回路３２は受信したＩＤ信号、施錠操作信号、及び解錠操作信号をドア側マイコン３０に出力する。
【００２９】
ドア錠駆動部２１，２２はドア２内に配設されており、モータ等のアクチュエータとそのアクチュエータを駆動するドライバ部とによって構成されている（図示略）。図２及び図３に示すように、ドア２の側面２ｃには、各ドア錠駆動部２１，２２の駆動によって出没するロックバー２１ａ，２２ａがそれぞれ設けられている。そして、これらロックバー２１ａ，２２ａの突出状態でドアが施錠状態となり、没入状態でドアが解錠状態となる。また、ドア２の屋内側面には、ロックバー２１ａ，２２ａを手動で出没可能な手動ロック手段２１ｂ，２２ｂが設けられている。これら手動ロック手段２１ｂ，２２ｂは、一般的な屋内側施解錠用つまみ（サムターン）である。
【００３０】
ドア錠駆動部２１，２２は、ドア側マイコン３０から解錠駆動信号が入力された場合、ロックバー２１ａ，２２ａを没入させてドアを解錠状態とする。また、ドア錠駆動部２１，２２は、ドア側マイコン３０から施錠駆動信号が入力された場合、ロックバー２１ａ，２２ａを突出させてドアを施錠状態とする。
【００３１】
ドア側マイコン３０は、具体的には図示しないＣＰＵ及び記録手段としてのメモリ３０ａを備えている。メモリ３０ａには、登録された各携帯機のコード及びこのコードから算出されたコードが個別に記録されている。本実施形態では、メモリ３０ａには、携帯機１１に固有のコードであるコードＢ１（ドア側第１コード）及びこのコードＢ１から算出したコードＣ１（ドア側第２コード）と、携帯機４０（図８参照）に固有のコードＢ２（ドア側第１コード）及びこのコードＢ２から算出したコードＣ２（ドア側第２コード）とが記録されている。
【００３２】
ドア側マイコン３０には、内側アンテナＳＷ２４、登録モード切替ＳＷ２５、及び外側アンテナＳＷ２８がそれぞれ接続されている。
ドア側マイコン３０は、登録モード切替ＳＷ２５のスライドノブ２５ａが通常モード側（本実施形態では図４において左側）に位置している場合、コードＣ１を含むリクエスト信号とコードＣ２を含むリクエスト信号とをドア側送信回路３１に対して順番に出力する。すなわち、ドア側マイコン３０は、コードＣ１を含むリクエスト信号とコードＣ２を含むリクエスト信号とを交互に出力する。
【００３３】
また、ドア側マイコン３０は、ＩＤ信号、施錠操作信号、解錠操作信号のいずれかの信号が入力された場合、これら信号に含まれるコードと予め記録された携帯機に固有のコードとで照合（ＩＤコード照合）を行なう。詳しくは、ドア側マイコン３０は、コードＣ１を含むリクエスト信号を出力してＩＤ信号が入力された場合、ＩＤ信号に含まれるコードとコードＢ１とを照合し、コードＣ２を含むリクエスト信号を出力してＩＤ信号が入力された場合、ＩＤ信号に含まれるコードとコードＢ２とを照合する。
【００３４】
また、ドア側マイコン３０は、施錠操作信号または解錠操作信号が入力された場合、これら信号に含まれるコードとコードＢ１とによる照合を行い、この照合が一致しない場合には更にコードＢ２を用いて照合を行う。なお、ドア側マイコン３０は、施錠操作信号または解錠操作信号が入力された場合、これら信号に含まれるコードとコードＢ２とによる照合を行い、この照合が一致しない場合にコードＢ１を用いて照合を行うようにしてもよい。
【００３５】
ドア側マイコン３０は、施錠操作信号に含まれる施錠操作コード及び解錠操作信号に含まれる解錠操作コードから施錠操作信号及び解錠操作信号のどちらの信号が入力されたかを判断する。そして、ＩＤ信号または解錠操作信号が入力されてＩＤコード照合が一致した場合、ドア側マイコン３０は、ドア錠駆動部２１，２２に対して解錠駆動信号を出力する。一方、ドア側マイコン３０は、ＩＤ信号が入力されなくなったときや、施錠操作信号が入力されてＩＤコード照合が一致した場合には、ドア錠駆動部２１，２２に対して施錠駆動信号を出力する。
【００３６】
ところで、登録モード切替ＳＷ２５のスライドノブ２５ａが登録モード側（本実施形態では図４において右側）に位置している場合、ドア側マイコン３０は、ドア側送信回路３１に対するリクエスト信号の出力を停止して、通常モードから登録モードに切り替わる。登録モードにおいて、携帯機１１が有するコードＢ１が施解錠装置１２に登録され、施解錠装置１２が算出したコードＣ１が携帯機１１に登録される。
【００３７】
以下、登録モードにおいて携帯機と施解錠装置との間で行われるコードの登録シーケンスについて、図６及び図７に従って説明する。なお、ここでは、２つの携帯機１１，４０と２つの施解錠装置１２，４２との間で行われるコードの登録例について説明する。携帯機４０の機能は携帯機１１と同一であり、携帯機側マイコン４１は図５における携帯機側マイコン１４に相当し、携帯機側マイコン４１が備えるメモリ４１ａは図５におけるメモリ１４ａに相当する。また、施解錠システム５が備える施解錠装置４２の機能は施解錠装置１２と同一であり、ドア側マイコン４３は図５におけるドア側マイコン３０に相当し、ドア側マイコン４３が備えるメモリ４３ａは図５におけるメモリ３０ａに相当する。
【００３８】
＜携帯機１１を施解錠装置１２及び施解錠装置４２に登録する場合＞
施錠操作ＳＷ１６（または解錠操作ＳＷ１７）を押圧操作すると、図６に示すように、携帯機１１は施錠操作信号（解錠操作信号）を送信する（ステップ８０）。以下、携帯機１１の施錠操作ＳＷ１６が押圧操作された場合について説明する。
【００３９】
ドア側マイコン３０は、登録モードにおいて施錠操作信号を受信すると、施錠操作信号に含まれるコードＢ１から演算によりコードＣ１を算出する（ステップ８１）。そして、ドア側マイコン３０は、コードＢ１とコードＣ１とをメモリ３０ａに記録する（ステップ８２）。このように、携帯機１１に固有のコードであるコードＢ１がドア側マイコン３０のメモリ３０ａに記録されることにより携帯機１１が施解錠装置１２に登録される。ステップ８２の処理を完了すると、ドア側マイコン３０は、算出したコードＣ１を送信する（ステップ８３）。
【００４０】
携帯機側マイコン１４は、コードＣ１を受信すると、コードＣ１をメモリ１４ａに記録する（ステップ８４）。
また、施解錠装置４２が配設されたドア４を携帯機１１を用いて施解錠するには、ステップ８５〜８７に示すように、携帯機１１を施解錠装置４２に登録する。ここで、ステップ８５〜８７は前記ステップ８０〜８２に相当する。ステップ８６においてコードＢ１から算出されるコードＣ１は、ステップ８１で算出されたコードＣ１と同一である。つまり、携帯機１１が登録される施解錠装置１２，４２では、演算により同一のコードＣ１が算出されてそれぞれの有するメモリに記録される。ステップ８７の処理を完了すると、ドア側マイコン４３はコードＣ１を送信する（ステップ８８）。
【００４１】
携帯機側マイコン１４は、コードＣ１を受信すると、コードＣ１をメモリ１４ａに記録する（ステップ８９）。
＜携帯機４０を施解錠装置１２に登録する場合＞
携帯機４０に設けられた図示しない施錠操作スイッチ（または解錠操作スイッチ）を押圧操作すると、図７に示すように、携帯機４０は施錠操作信号（解錠操作信号）を送信する（ステップ９０）。以下、携帯機４０の施錠操作スイッチが押圧操作された場合について説明する。
【００４２】
登録モードにおいてドア側マイコン３０は、携帯機４０から送信された施錠操作信号を受信すると、施錠操作信号に含まれるコードＢ２から演算によりコードＣ２を算出する（ステップ９１）。そして、ドア側マイコン３０は、コードＢ２とコードＣ２とをメモリ３０ａに記録する（ステップ９２）。このように、携帯機４０に固有のコードであるコードＢ２がドア側マイコン３０のメモリ３０ａに記録されることにより携帯機４０が施解錠装置１２に登録される。
【００４３】
ステップ９２の処理を完了すると、ドア側マイコン３０は、算出したコードＣ２を送信する（ステップ９３）。携帯機側マイコン４１は、コードＣ２を受信すると、コードＣ２をメモリ４１ａに記録する（ステップ９４）。
【００４４】
次に、上記構成による施解錠システム３及び施解錠システム５の動作態様例について図８に従って説明する。ここでは、携帯機１１がドア２に配設された施解錠装置１２及びドア４に配設された施解錠装置４２に登録され、携帯機４０が施解錠装置１２に登録されている場合を例として説明する。
【００４５】
施解錠装置１２には携帯機１１及び携帯機４０が登録されているため、施解錠装置１２は、コードＣ１を含むリクエスト信号とコードＣ２を含むリクエスト信号とを交互に送信する。一方、施解錠装置４２には携帯機１１が登録されているため、施解錠装置４２はコードＣ１を含むリクエスト信号を送信する。
【００４６】
携帯機１１を所持してドア２に近づくと、携帯機１１は施解錠装置１２から送信されるリクエスト信号を受信する。このリクエスト信号にはコードＣ１が含まれている。従って、携帯機１１は、コードＣ１を含むリクエスト信号に応答してコードＢ１を含むＩＤ信号を送信する。なお、図８においては、コードＢ１を含むＩＤ信号を単に「コードＢ１」と示し、コードＢ２を含むＩＤ信号を単に「コードＢ２」と示している。
【００４７】
施解錠装置１２は、携帯機１１から送信されたコードＢ１を含むＩＤ信号を受信すると、ＩＤ信号中のコードＢ１と自らが有するコードＢ１とでＩＤコード照合を行い、ＩＤコード照合の一致によりドアを解錠する。
【００４８】
一方、携帯機１１を所持してドア４に近づくと、携帯機１１は施解錠装置４２から送信されるリクエスト信号を受信する。このリクエスト信号にもコードＣ１が含まれている。従って、携帯機１１は、コードＣ１を含むリクエスト信号に応答してコードＢ１を含むＩＤ信号を送信する。
【００４９】
施解錠装置４２は、携帯機１１から送信されたコードＢ１を含むＩＤ信号を受信すると、ＩＤ信号中のコードＢ１と自らが有するコードＢ１とでＩＤコード照合を行い、ＩＤコード照合の一致によりドアを解錠する。
【００５０】
このように、携帯機１１を所持してドア２に近づくとドア２が解錠され、携帯機１１を所持してドア４に近づくとドア４が解錠される。つまり、一つの携帯機１１によって、複数（本実施形態では２枚）のドアを解錠することができる。
【００５１】
そして、モード切替スイッチが自動モード側に設定されている場合において、携帯機１１を所持してドア２から離れるとドア２が施錠され、携帯機１１を所持してドア４から離れるとドア４が施錠される。ユーザは、なんら操作することなくドア２またはドア４を施錠することができる。また、モード切替スイッチが手動モード側に設定されている場合には、携帯機１１を所持して操作部（施解錠装置１２では内側アンテナＳＷ２４または外側アンテナＳＷ２８）を操作することによりドアを施錠することができる。
【００５２】
一方、携帯機４０を所持してドア２に近づくと、携帯機４０は施解錠装置１２から送信されるリクエスト信号を受信する。このリクエスト信号にはコードＣ２が含まれている。従って、携帯機４０は、コードＣ２を含むリクエスト信号に応答してコードＢ２を含むＩＤ信号を送信する。
【００５３】
施解錠装置１２は、携帯機４０から送信されたコードＢ２を含むＩＤ信号を受信すると、ＩＤ信号中のコードＢ２と自らが有するコードＢ２とでＩＤコード照合を行い、ＩＤコード照合の一致によりドア２を解錠する。このように、予め施解錠装置１２に携帯機４０を登録することによって、携帯機１１以外の携帯機である携帯機４０を用いてもドア２を解錠できる。従って、複数の携帯機によってドア２を解錠することができる。
【００５４】
なお、携帯機４０が登録されていない施解錠装置４２は、コードＣ２を含むリクエスト信号を送信しない。このため、携帯機４０を所持してドア４に近づいてもドア４は解錠されない。
【００５５】
従って、本実施形態によれば以下のような効果を得ることができる。
（１）ドア側マイコン３０及びドア側マイコン４３は、携帯機１１が有する固有のコードであるコードＢ１から演算によりコードＣ１を算出する。このため、施解錠装置１２と施解錠装置４２とに携帯機１１を登録すると、施解錠装置１２と施解錠装置４２とにおいて同一のコードＣ１が算出され、施解錠装置１２が送信するリクエスト信号と施解錠装置４２が送信するリクエスト信号とは同一となる。携帯機１１は、コードＣ１を含むリクエスト信号に応答する。つまり、携帯機１１は、コードＢ１から算出されたコードＣ１が登録されている施解錠装置１２または施解錠装置４２からの２つのリクエスト信号に応答する。従って、一つの携帯機を複数の施解錠装置に対応させることができる。
【００５６】
（２）携帯機１１に固有のコードＢ１から算出されたコードＣ１は、ドア側マイコン３０のメモリ３０ａに記録される。このため、ドア側マイコン３０は、リクエスト信号を出力する度に、コードＢ１から演算によりコードＣ１を算出する必要がない。従って、ドア側マイコン３０の処理上の負担を少なくすることができる。
【００５７】
（３）ドア側マイコン３０は、携帯機１１と携帯機４０とが登録されている場合、コードＣ１を含むリクエスト信号とコードＣ２を含むリクエスト信号とを交互に出力する。このため、ユーザは、携帯機１１を所持した場合や携帯機４０を所持した場合でも同じフィーリングでドア錠を解錠することができる。つまり、例えば、携帯機１１を所持した場合にはドア錠が早く解錠して、携帯機４０を所持した場合にはドア錠が遅く解錠するといったことがない。従って、ドア錠の解錠に対してユーザが違和感を感じてしまうといった不都合を防止することができる。
【００５８】
なお、本発明の実施形態は以下のように変更してもよい。
・本実施形態において、施解錠装置１２は、携帯機１１に固有のコードＢ１から算出したコードＣ１をメモリ３０ａに記録していた。しかし、施解錠装置１２は、コードＣ１をメモリ３０ａに記録せず、リクエスト信号を送信する度にコードＢ１から演算によりコードＣ１を算出するように変更されてもよい。このようにすれば、メモリ３０ａの記録領域の節約を図ることができる。
【００５９】
・本実施形態において携帯機１１は、施解錠装置１２から送信されたコードＣ１をメモリ１４ａに記録していた。しかし、携帯機１１は、コードＣ１をメモリ１４ａに記録しなくてもよい。この場合、携帯機１１は、施解錠装置１２がコードＢ１からコードＣ１を算出する際に用いる演算式と同一の演算式を用いて、自らが有するコードＢ１からコードＣ１を算出するように変更される。このようにすれば、施解錠装置１２は、コードＢ１から算出したコードＣ１を携帯機１１に対して送信する必要がなくなる。従って、携帯機１１を施解錠装置１２に登録する際に要する時間を短縮できる。
【００６０】
・本実施形態におけるコードＣ１は、コードＢ１から算出される第１コードと、第１コードを算出する際に用いた演算と別の演算を用いてコードＢ１から算出された第２コードとから構成されてもよい。このようにすれば、コードＢ１から算出するコードが重複する確率を低下させることができる。従って、複数の携帯機が登録された施解錠装置１２から異なる携帯機に対して同一のリクエスト信号が送信される確率を低下させ、応答する携帯機を確実に一つに特定することができる。
【００６１】
次に、本実施形態及び他の実施形態から把握できる技術的思想を以下に追記する。
（１）携帯機側第１コードを記憶し、受信したコードが前記携帯機側第１コードから算出した携帯機側第２コードと一致する場合に前記携帯機側第１コードを送信する携帯機と通信可能に構成され、建物のドアを施錠または解錠する建物用ドアの施解錠装置において、ドア側第１コードを記録する記録手段と、前記ドア側第１コードから算出したドア側第２コードを携帯機に送信する送信手段と、前記携帯機から受信した携帯機側第１コードが前記ドア側第１コードと一致する場合に前記ドアを施錠または解錠する制御手段と、を備えたことを特徴とする建物用ドアの施解錠装置。
【００６２】
（２）請求項２または技術的思想（１）に記載の施解錠装置において、前記制御手段は、前記ドア側第２コードを送信する際に前記ドア側第１コードから前記ドア側第２コードを算出すること。
【００６３】
（３）請求項２〜４、技術的思想（１），（２）のいずれか１項に記載の施解錠装置において、前記制御手段は、複数の前記ドア側第２コードを有する場合、これらドア側第２コードを前記送信手段を介して順番に送信すること。
【図面の簡単な説明】
【００６４】
【図１】本実施形態における住宅の斜視図。
【図２】同じく、住宅に設けられた施解錠システムの斜視図。
【図３】同じく、施解錠装置の側面図。
【図４】同じく、施解錠装置の屋内アンテナ部の拡大斜視図。
【図５】同じく、施解錠システムの電気ブロック図。
【図６】同じく、施解錠装置における登録シーケンス図。
【図７】同じく、施解錠装置における登録シーケンス図。
【図８】同じく、施解錠システムの動作態様例を説明するための模式図。
【図９】（ａ），（ｂ）は、従来の施解錠システムの動作態様を説明するための模式図。
【符号の説明】
【００６５】
１…住宅、３，５…施解錠システム、２，４…ドア、１１，４０…携帯機、１２，４２…施解錠装置、３１…送信手段としてのドア側送信回路、３０，４３…制御手段としてのドア側マイクロコンピュータ（ドア側マイコン）、３０ａ，４３ａ…記録手段としてのメモリ、Ｂ１，Ｂ２，Ｃ１，Ｃ２…コード。
【図１】
2005146543.tif 000003
【図２】
2005146543.tif 000004
【図３】
2005146543.tif 000005
【図４】
2005146543.tif 000006
【図５】
2005146543.tif 000007
【図６】
2005146543.tif 000008
【図７】
2005146543.tif 000009
【図８】
2005146543.tif 000010
【図９】
2005146543.tif 000011